(57)【要約】【課題】食器入れ食器水切籠水受け皿に水が溜まったまま不衛生又重い水受け皿水運び捨てや水出し一式セット購入し、置く場所が限られていたり長ホース付きの不便さを可愛い単品小装置で早く水を吸い出し素早い食器乾燥で衛生的にする。【解決手段】各家庭飲食店で現在使用中の食器水切籠１０水受け皿９何処へ置いても水吸い出す水受け皿９下へ低い段差台８置き食器水切籠１０角下に毛細管現象利用した水受け皿９縁高さ水量異なっても何れかの紐が水吸い出す長さ細さ異なる紐１ネット袋入り薄抗菌スポンジ細縫い４に包み縫い止め先挟んで置く水早く吸い出す、吸い出された水は取り外しフック７で繋いだ開閉キッヤップ６防カビヒダゴム袋５に入るヒダは水量により大きく折り畳めば小さくなる、開閉キッヤップ６で簡単排水重い水運び不要安全食器乾燥早く衛生的洗い物多い時開いたまま排水しながら洗え便利使用後フック７外し中全部洗え安心無音無臭電気代不要。【選択図】　図９
2004097749.tif 000002
【特許請求の範囲】
【請求項１】
各家庭や飲食店で現在使用中の洗い籠の水受け皿に溜まった水を毛細管現象を利用して吸い出す単品小装置、水受け皿下に低い段差台置き水受け皿に溜まった水を毛細管現象利用した長さ細さ異なるナイロン紐並べ縫いを、ポリエステルネット袋入り薄抗菌スポンジ細縫いに包み縫い止めて水を吸い出す、吸い出された水は取り外しフックで繋いである開閉キッヤップ付き防カビヒダありゴム袋に入る、水は開閉キッヤップを開くと排水でき食器の乾燥が早く衛生的。
【発明の詳細な説明】
【０００１】
本発明は、単品小装置の為、各家庭や飲食店で現在使用中の洗い籠水受け皿に溜まった水を吸い出す、水受け皿下へ低い段差台を置き、洗い籠角下に毛細管現象利用した長さ細さ異なるナイロン紐並べ縫いをポリエステルネット袋入り薄抗菌スポンジ細縫いに包み縫い止めした先を挟んで置くと水受け皿に溜まった水を早く吸い出す、吸い出された水は取り外しフックで繋いである開閉キッヤップ付き防カビヒダありゴム袋に入る、水は開閉キッヤップを開くと軽く簡単に排水できる。
【０００２】
従来、参考文献名称食器乾燥機文献公開番号０３−２０７３３２水受け皿に水抜き弁、参考文献名称排水パイプ付き水切り文献公開番号０１−１７８８７２底に水落とし穴にパイプこのように以前は洗い籠の水受け皿に溜まった水を抜くのに穴や管、又は置く場所が定位置に限られている溝付き一式セットを購入しなければ水は抜けなかった。
【０００３】
本発明は、単品小装置の為洗い籠水受け皿に溜まった水を出す一式セット購入不要、各家庭や飲食店現在使用中の洗い籠水受け皿に溜まった水を簡単に吸い出す、それを図面について説明すれば、溜まった水を吸い出す為に洗い籠水受け皿の水吸い出し口先を洗い籠１０角下に挟む、この毛細管現象利用した長さ細さ異なるナイロン紐１は各家庭や飲食店で水受け皿９縁の高さや水量が異なっても何れかの紐が水を吸い出す、この長さ細さ異なるナイロン紐１を包んでいるポリエステルネット袋入り薄抗菌スポンジ細縫い４は薄抗菌スポンジ２をポリエステルネット袋３に入れると細かくミシンで縫え毛細管現象が薄抗菌スポンジ２にも生じポリエステルネット袋３と縫糸で強化され洗い干せ、水受け皿９縁にも馴染む、ポリエステルネット袋薄抗菌スポンジ４下切り込み先々にも水滴吸い出される、吸い出された全ての水は取り外しフック７で繋いである開閉キッヤップ６付き防カビヒダありゴム袋５に入る、ゴム袋ヒダ５は水量により大きくなり邪魔な時折り畳める、開閉キッヤップ６は洗い物多い時開いたまま使用すればシンク１３中へ排水しながら洗える水受け皿９に溜まった重い水を捨てる為シンク１３に運ぶ必要ないので安全、閉じて使用すると水が漏れない為洗い籠１０水受け皿９は何処へでも置ける、大事な役をしている低い段差台８は平面キッチン１１に洗い籠１０水受け皿９を置く場合水受け皿９下に使用する、水受け皿９に溜まった水よりポリエステルネット袋入り薄抗菌スポンジ細縫い４水出先を低くし水吸い出し易くする、段差８で水受け皿９水溜まり易くなる、しかし棚上キッチン１２に洗い籠１０水受け皿９置く場合低い段差台８不要、使用後最後は取り外しフック７外し内側まで全部洗い干せ衛生的である。
【０００４】
このようにすれば、洗い籠水受け皿に溜まった水は可愛く軽く折り畳めばより小さくもなる洗い籠水受け皿の水吸い出し洗って干せる単品小装置で吸い出し食器乾燥が早く衛生的、電気代不要無音無臭、各家庭飲食店で現在使用中の洗い籠水受け皿を何処に置いても水を早く吸い出し簡単に開キッヤップで排水するので水受け皿に溜まった重い水を持ち運び捨てる必要ないので安全、洗い物多い時は排水しながら洗えるので便利である。
【図面の簡単な説明】
【図１】長さ細さ異なるナイロン紐並べ縫い水吸い出し図である。
【図２】薄く平たい抗菌スポンジポリウレタンフォーム図である。
【図３】ポリエステルネット袋図である。
【図４】図２を図３に入れ細かく縫い水吸い出し強化スポンジ図である。
【図５】図４の先に切り込みを入れ先々に水滴吸い出す図である。
【図６】図５の上に図１を置きＡＢにＣＤを合わせ縫い止め筒状水吸い出し図である。
【図７】洗い籠水受け皿に溜まった水を吸い出す装置である。
【図８】図７で吸い出された水が入る開閉キッヤップ付き防カビヒダありゴム袋図である。
【図９】図７吸い出し口先の下部を図８へ差し込み図７と図８を取り外しフックで繋ぎ洗い籠水受け皿の水吸い出しの単品小装置完成図である。
【図１０】低い段差台図である。
【図１１】平面キッチンで洗い籠水受け皿下へ図１０をおいてキッヤップ閉じて使用図である。
【図１２】棚上キッチン図１０不要に洗い籠水受け皿置きキッヤップ閉じて使用図である。
【図１３】図１１のキッヤップ開きシンク中へ排水しながらの使用図である。
【符号の説明】
１　　長さ細さ異なるナイロン紐
２　　薄抗菌スポンジ
３　　ポリエステルネット袋
４　　ポリエステルネット袋入り薄抗菌スポンジ細縫い
５　　防カビヒダありゴム袋
６　　開閉キッヤップ
７　　取り外しフック
８　　低い段差台
９　　水受け皿
１０　洗い籠
１１　平面キッチン
１２　棚上キッチン
１３　キッチンのシンク
【図１】
2004097749.tif 000003
【図２】
2004097749.tif 000004
【図３】
2004097749.tif 000005
【図４】
2004097749.tif 000006
【図５】
2004097749.tif 000007
【図６】
2004097749.tif 000008
【図７】
2004097749.tif 000009
【図８】
2004097749.tif 000010
【図９】
2004097749.tif 000011
【図１０】
2004097749.tif 000012
【図１１】
2004097749.tif 000013
【図１２】
2004097749.tif 000014
【図１３】
2004097749.tif 000015
【手続補正書】
【提出日】平成15年4月21日(2003.4.21)
【手続補正１】
【補正対象書類名】明細書
【補正対象項目名】全文
【補正方法】変更
【補正の内容】
【特許請求の範囲】
【請求項１】各家庭や飲食店で現在使用中の食器水切籠の水受け皿に溜まった水を毛細管現象を利用して吸い出す単品小装置、水受け皿下に低い段差台置き水受け皿に溜まった水を毛細管現象利用した長さ細さ異なるナイロン紐並べ縫いを、ポリエステルネット袋入り薄抗菌スポンジ細縫いに包み縫い止めて水を吸い出す、吸い出された水は取り外しフックで繋いである開閉キッヤップ付き防カビヒダありゴム袋に入る、水は開閉キッヤップを開くと排水でき食器の乾燥が早く衛生的。
【発明の詳細な説明】
【０００１】
本発明は、単品小装置の為、各家庭や飲食店で現在使用中の食器水切籠水受け皿に溜まった水を吸い出す、水受け皿下へ低い段差台を置き、食器水切籠角下に毛細管現象利用した長さ細さ異なるナイロン紐並べ縫いをポリエステルネット袋入り薄抗菌スポンジ細縫いに包み縫い止めした先を挟んで置くと水受け皿に溜まった水を早く吸い出す、吸い出された水は取り外しフックで繋いである開閉キッヤップ付き防カビヒダありゴム袋に入る、水は開閉キッヤップを開くと軽く簡単に排水できる。
【０００２】
従来、参考文献名称食器乾燥機文献公開番号０３−２０７３３２水受け皿に水抜き弁、参考文献名称排水パイプ付き水切り文献公開番号０１−１７８８７２底に水落とし穴にパイプこのように以前は食器水切籠の水受け皿に溜まった水を抜くのに穴や管、又は置く場所が定位置に限られている溝付き一式セットを購入しなければ水は抜けなかった。
【０００３】
本発明は、単品小装置の為食器水切籠水受け皿に溜まった水を出す一式セット購入不要、各家庭や飲食店現在使用中の食器水切籠水受け皿に溜まった水を簡単に吸い出す、それを図面について説明すれば、溜まった水を吸い出す為に食器水切籠水受け皿の水吸い出し口先を食器水切籠１０角下に挟む、この毛細管現象利用した長さ細さ異なるナイロン紐１は各家庭や飲食店で水受け皿９縁の高さや水量が異なっても何れかの紐が水を吸い出す、この長さ細さ異なるナイロン紐１を包んでいるポリエステルネット袋入り薄抗菌スポンジ細縫い４は薄抗菌スポンジ２をポリエステルネット袋３に入れると細かくミシンで縫え毛細管現象が薄抗菌スポンジ２にも生じポリエステルネット袋３と縫糸で強化され洗い干せ、水受け皿９縁にも馴染む、ポリエステルネット袋薄抗菌スポンジ４下切り込み先々にも水滴吸い出される、吸い出された全ての水は取り外しフック７で繋いである開閉キッヤップ６付き防カビヒダありゴム袋５に入る、ゴム袋ヒダ５は水量により大きくなり邪魔な時折り畳める、開閉キッヤップ６は洗い物多い時開いたまま使用すればシンク１３中へ排水しながら洗える水受け皿９に溜まった重い水を捨てる為シンク１３に運ぶ必要ないので安全、閉じて使用すると水が漏れない為食器水切籠１０水受け皿９は何処へでも置ける、大事な役をしている低い段差台８は平面キッチン１１に食器水切籠１０水受け皿９を置く場合水受け皿９下に使用する、水受け皿９に溜まった水よりポリエステルネット袋入り薄抗菌スポンジ細縫い４水出先を低くし水吸い出し易くする、段差８で水受け皿９水溜まり易くなる、しかし棚上キッチン１２に食器水切籠１０水受け皿９置く場合低い段差台８不要、使用後最後は取り外しフック７外し内側まで全部洗い干せ衛生的である。
【０００４】
このようにすれば、食器水切籠水受け皿に溜まった水は可愛く軽く折り畳めばより小さくもなる食器水切籠水受け皿の水吸い出し洗って干せる単品小装置で吸い出し食器乾燥が早く衛生的、電気代不要無音無臭、各家庭飲食店で現在使用中の食器水切籠水受け皿を何処に置いても水を早く吸い出し簡単に開キッヤップで排水するので水受け皿に溜まった重い水を持ち運び捨てる必要ないので安全、洗い物多い時は排水しながら洗えるので便利である。
【図面の簡単な説明】
【図１】長さ細さ異なるナイロン紐並べ縫い水吸い出し図である。
【図２】薄く平たい抗菌スポンジポリウレタンフォーム図である。
【図３】ポリエステルネット袋図である。
【図４】図２を図３に入れ細かく縫い水吸い出し強化スポンジ図である。
【図５】図４の先に切り込みを入れ先々に水滴吸い出す図である。
【図６】図５の上に図１を置きＡＢにＣＤを合わせ縫い止め筒状水吸い出し図である。
【図７】食器水切籠水受け皿に溜まった水を吸い出す装置である。
【図８】図７で吸い出された水が入る開閉キッヤップ付き防カビヒダありゴム袋図である。
【図９】図７吸い出し口先の下部を図８へ差し込み図７と図８を取り外しフックで繋ぎ食器水切籠水受け皿の水吸い出しの単品小装置完成図である。
【図１０】低い段差台図である。
【図１１】平面キッチンで食器水切籠水受け皿下へ図１０をおいてキッヤップ閉じて使用図である。
【図１２】棚上キッチン図１０不要に食器水切籠水受け皿置きキッヤップ閉じて使用図である。
【図１３】図１１のキッヤップ開きシンク中へ排水しながらの使用図である。
【符号の説明】
１　　長さ細さ異なるナイロン紐
２　　薄抗菌スポンジ
３　　ポリエステルネット袋
４　　ポリエステルネット袋入り薄抗菌スポンジ細縫い
５　　防カビヒダありゴム袋
６　　開閉キッヤップ
７　　取り外しフック
８　　低い段差台
９　　水受け皿
１０　食器水切籠
１１　平面キッチン
１２　棚上キッチン
１３　キッチンのシンク